【手続補正書】
【提出日】令和3年6月9日(2021.6.9)
【手続補正１】
【補正対象書類名】特許請求の範囲
【補正対象項目名】全文
【補正方法】変更
【補正の内容】
【特許請求の範囲】
【請求項１】
創傷部位上に位置付けられるように構成された創傷被覆材（４００、１２００）であって、
創傷滲出液を吸収するための吸収層（４２１、１２２１）であって、前記吸収層が、吸収材の少なくとも第一の部分、および前記第一の部分から物理的に分離し、同一平面で前記第一の部分に隣接する前記吸収材の第二の部分を含む吸収層と、
前記吸収層上にあって、少なくとも一つのオリフィスを含む裏当て層と、
前記少なくとも一つのオリフィス上に位置付けられて、前記創傷部位に前記創傷被覆材を通して陰圧を供給するように構成された流体コネクタと、を含む、創傷被覆材を含み、
前記吸収層が、規則的な繰り返しのグリッドパターンで配置された複数の部分を含む、創傷治療装置。
【請求項２】
前記吸収材の前記第一の部分が、前記吸収材の前記第二の部分から空間によって分離される、請求項１に記載の創傷治療装置。
【請求項３】
前記吸収層が、吸収材のそれぞれの物理的に分離した部分を分離する１ｍｍ〜１０ｍｍの間隙を含む、請求項２に記載の創傷被覆材装置。
【請求項４】
前記裏当て層が、前記空間内に少なくとも部分的に延在し、任意で、
前記裏当て層が、前記吸収材の前記第一の部分と前記第二の部分との間の前記空間内に延在するように構成された折り目を含む、請求項２または３に記載の創傷治療装置。
【請求項５】
前記裏当て層が、前記吸収層上に形成された真空であって、それによって前記吸収材の前記第一の部分と前記第二の部分との間の前記空間を充填する、請求項４に記載の創傷治療装置。
【請求項６】
前記吸収層の下に第一の透過層をさらに含む、請求項１〜５のいずれかに記載の創傷治療装置。
【請求項７】
前記裏当て層が、前記吸収材の前記第一の部分と前記第二の部分との間の空間内の透過層に接触する、請求項６に記載の創傷治療装置。
【請求項８】
前記第一の部分が前記第二の部分よりも大きい、請求項１〜７のいずれかに記載の創傷治療装置。
【請求項９】
前記吸収層が、複数の第二の部分をさらに含み、前記複数の第二の部分のそれぞれが、前記第二の部分と互いに、および、前記第一の部分から、物理的に分離している、請求項１〜８のいずれかに記載の創傷治療装置。
【請求項１０】
前記吸収層が、長方形の形状を有する複数の物理的に分離した部分を含む、請求項１〜９のいずれかに記載の創傷治療装置。
【請求項１１】
前記吸収層が、全てが同一の形状およびサイズを有する複数の部分を含む、請求項１〜７、９、１０のいずれかに記載の創傷被覆材装置。
【請求項１２】
前記吸収層が、異なる形状およびサイズを有する複数の部分を含む、請求項１〜７、９、１０のいずれかに記載の創傷被覆材装置。
【請求項１３】
前記吸収材の前記第一の部分が、前記裏当て層の前記オリフィスの下に位置付けられる、請求項１〜１２のいずれかに記載の創傷治療装置。
【請求項１４】
前記吸収層の下に創傷接触層をさらに含み、前記裏当て層に封止される、請求項１〜１３のいずれかに記載の創傷治療装置。
【請求項１５】
前記創傷被覆材を通して創傷部位と流体連通するように構成された陰圧源をさらに含む、請求項１〜１４のいずれかに記載の創傷治療装置。
【請求項１６】
前記吸収層の上に第二の透過層をさらに含む、請求項１〜１５のいずれかに記載の創傷治療装置。
【請求項１７】
前記流体コネクタがフィルタを含む、請求項１〜１６のいずれかに記載の創傷治療装置。
【手続補正２】
【補正対象書類名】明細書
【補正対象項目名】０１７４
【補正方法】変更
【補正の内容】
【０１７４】
本開示には、一定の実施形態、例、および適用例が含まれるが、本開示は、具体的に開示された実施形態の範囲を超えて、他の代替の実施形態および／または使用ならびにその明らかな変更形およびその等価物にまでおよび、これには本明細書に記載された特徴および利点の全てを提供しているとは限らない実施形態が含まれることは、当業者に理解されるはずである。したがって、本開示の範囲は、本明細書における好ましい実施形態の特定の開示によって限定されることを意図するものではなく、本明細書に提示されるまたはこの後に提示される特許請求の範囲によって画定されうる。
［付記項１］
創傷治療装置であって、
創傷部位上に位置付けられるように構成された創傷被覆材であって、
創傷滲出液を吸収するための吸収層であって、前記吸収層が、吸収材の少なくとも第一の部分、および前記第一の部分から物理的に分離し、同一平面で前記第一の部分に隣接する吸収材の第二の部分を含む吸収層と、
前記吸収層上にあって、少なくとも一つのオリフィスを含む裏当て層と、
前記少なくとも一つのオリフィス上に位置付けられて、前記創傷部位に前記創傷被覆材を通して陰圧を供給するように構成された流体コネクタと、を含む、創傷被覆材を含む、創傷療法装置。
［付記項２］
前記吸収材の第一の部分が、前記吸収材の第二の部分から空間によって分離される、付記項１に記載の創傷治療装置。
［付記項３］
前記吸収層が、吸収材のそれぞれの物理的に分離した部分を分離する１〜１０ｍｍの間隙を含む、付記項２に記載の創傷被覆材装置。
［付記項４］
前記裏当て層が、前記空間内に少なくとも部分的に延在する、付記項１〜３のいずれか一項に記載の創傷治療装置。
［付記項５］
前記裏当て層が、前記吸収材の第一の部分と第二の部分との間の空間内に延在するように構成された折り目を含む、付記項４に記載の創傷治療装置。
［付記項６］
前記裏当て層が、前記吸収層上に形成された真空であって、それによって前記吸収材の前記第一の部分と第二の部分との間の前記空間を充填する、付記項５に記載の創傷治療装置。
［付記項７］
前記吸収層の下に第一の透過層をさらに含む、付記項１〜６のいずれかに記載の創傷治療装置。
［付記項８］
前記裏当て層が、前記吸収材の第一の部分と第二の部分との間の空間内の透過層に接触する、付記項７に記載の創傷治療装置。
［付記項９］
前記第一の部分が前記第二の部分よりも大きい、付記項１〜８のいずれかに記載の創傷治療装置。
［付記項１０］
前記吸収層が、複数の第二の部分をさらに含み、前記複数の第二の部分のそれぞれが、互いに第二の部分および前記第一の部分から物理的に分離している、付記項１〜９のいずれかに記載の創傷治療装置。
［付記項１１］
前記吸収層は、それぞれ正方形、長方形、円形、五角形、六角形、八角形、および三角形から成る群から選択される形状を有する複数の物理的に分離した部分を含む、付記項１〜１０のいずれかに記載の創傷被覆材装置。
［付記項１２］
前記吸収層が、長方形の形状を有する複数の物理的に分離した部分を含む、付記項１〜１１のいずれかに記載の創傷治療装置。
［付記項１３］
前記吸収層が、全てが同一の形状およびサイズを有する複数の部分を含む、付記項１〜８および１０〜１２のいずれかに記載の創傷被覆材装置。
［付記項１４］
前記吸収層が、異なる形状およびサイズを有する複数の部分を含む、付記項１〜８および１０〜１２のいずれかに記載の創傷被覆材装置。
［付記項１５］
前記吸収層が、規則的な繰り返しのグリッドパターンで配置された複数の部分を含む、付記項１〜１４のいずれかに記載の創傷治療装置。
［付記項１６］
前記吸収材の第一の部分が、前記裏当て層の前記オリフィスの下に位置付けられる、付記項１〜１５のいずれかに記載の創傷治療装置。
［付記項１７］
前記吸収層の下に創傷接触層をさらに含み、前記裏当て層に封止される、付記項１〜１６のいずれかに記載の創傷治療装置。
［付記項１８］
前記創傷被覆材を通して創傷部位と流体連通するように構成された陰圧源をさらに含む、付記項１〜１７のいずれかに記載の創傷治療装置。
［付記項１９］
前記吸収層の上に第二の透過層をさらに含む、付記項１〜１８のいずれかに記載の創傷治療装置。
［付記項２０］
前記流体コネクタがフィルタを含む、付記項１〜１９のいずれかに記載の創傷治療装置。
［付記項２１］
創傷部位の治療のための創傷治療装置であって、
創傷部位上に位置付けられるように構成された創傷被覆材であって、
創傷滲出液を吸収するための吸収層であって、それを通る流体の流れを阻害するように構成された少なくとも一つの圧縮部分を含む、吸収層と、
前記吸収層上の裏当て層と、を含む、創傷被覆材を含む、創傷治療装置。
［付記項２２］
前記圧縮部分が、前記圧縮部分に隣接する前記吸収層の部分間の流体の流れを阻害する、付記項２１に記載の創傷治療装置。
［付記項２３］
前記圧縮部分がそれを通る流体の流れを遮断する、付記項２１〜２２のいずれか一項に記載の創傷治療装置。
［付記項２４］
前記圧縮部分が、前記圧縮部分に隣接する前記吸収層の部分間の流体の流れを遮断する、付記項２１〜２３のいずれか一項に記載の創傷治療装置。
［付記項２５］
前記吸収層が長さおよび幅を有し、前記圧縮部分が前記吸収層の幅全体にわたって延在する、付記項２１〜２４のいずれか一項に記載の創傷治療装置。
［付記項２６］
それを通る前記流体の流れを阻害するように構成された少なくとも第一の圧縮部分および第二の圧縮部分を含む、付記項２１〜２５のいずれか一項に記載の創傷治療装置。
［付記項２７］
前記吸収層が、長さおよび幅を有し、前記第一の圧縮部分および前記第二の圧縮部分が、前記吸収層の幅全体にわたってそれぞれ延在する、付記項２６に記載の創傷治療装置。
［付記項２８］
前記吸収層が、前記裏当て層の開口部の下に位置付けられた縦穴を含む、付記項２１〜２７のいずれか一項に記載の創傷治療装置。
［付記項２９］
前記圧縮部分が吸収層の縦穴を囲む、付記項２８に記載の創傷治療装置。
［付記項３０］
前記吸収層が超吸収材を含む、付記項２１〜２９のいずれか一項に記載の創傷治療装置。
［付記項３１］
前記吸収層が不織布材料を含む、付記項２１〜３０のいずれか一項に記載の創傷治療装置。
［付記項３２］
前記吸収層が発泡体を含む、付記項２１〜２９のいずれか一項に記載の創傷治療装置。
［付記項３３］
前記圧縮部分が、前記吸収材をカレンダー加工することによって形成される、付記項２１〜３２のいずれか一項に記載の創傷治療装置。
［付記項３４］
前記裏当て層が少なくとも一つのオリフィスを含む、付記項２１〜３３のいずれか一項に記載の創傷治療装置。
［付記項３５］
前記裏当て層の前記オリフィス上に位置付けられた流体コネクタをさらに含む、付記項３４に記載の創傷治療装置。
［付記項３６］
前記吸収層の下に創傷接触層をさらに含み、前記裏当て層に封止される、付記項２１〜３５のいずれか一項に記載の創傷治療装置。
［付記項３７］
前記創傷被覆材を通して創傷部位と流体連通するように構成された陰圧源をさらに含む、付記項２１〜３６のいずれか一項に記載の創傷治療装置。
［付記項３８］
創傷部位の治療のための創傷治療装置であって、
創傷部位上に位置付けられるように構成された創傷被覆材であって、
スペーサー層と、
創傷滲出液を吸収するための吸収層であって、前記吸収層およびスペーサー層が隣り合わせに位置づけられる、吸収層と、
前記吸収層および前記スペーサー層上にあり、前記吸収層上に位置付けられた少なくとも一つのオリフィスを含む、裏当て層と、
前記少なくとも一つのオリフィス上に位置付けられて、前記創傷部位に前記創傷被覆材を通して陰圧を供給するように構成された流体コネクタと、を含む、創傷被覆材を含む、創傷療法装置。
［付記項３９］
前記スペーサー層が前記創傷に陰圧を分配する、付記項３８に記載の創傷治療装置。
［付記項４０］
前記スペーサー層が、前記裏当て層と接触し、前記裏当て層が、創傷滲出液からの液体が前記裏当て層を通って移動し、前記裏当て層の外表面から蒸発することができるように構成される、付記項３８〜３９のいずれか一項に記載の創傷治療装置。
［付記項４１］
前記吸収層が、前記スペーサー層の外周を囲む、付記項３８〜４０のいずれか一項に記載の創傷治療装置。
［付記項４２］
前記吸収層が、前記スペーサーの外側の周りに漏洩保護を提供するように構成される、付記項４１に記載の創傷治療装置。
［付記項４３］
前記吸収層が、前記裏当て層の前記オリフィスの下に位置付けられた縦穴を含む、付記項３８〜４２のいずれか一項に記載の創傷治療装置。
［付記項４４］
前記吸収層が超吸収材を含む、付記項３８〜４３のいずれか一項に記載の陰圧創傷治療装置。
［付記項４５］
前記吸収層が不織布材料を含む、付記項３８〜４４のいずれか一項に記載の創傷治療装置。
［付記項４６］
前記吸収層が発泡体を含む、付記項３８〜４３のいずれか一項に記載の創傷治療装置。
［付記項４７］
前記吸収層およびスペーサー層の下に創傷接触層をさらに含み、前記裏当て層に封止される、付記項３８〜４６のいずれか一項に記載の創傷治療装置。
［付記項４８］
前記吸収層およびスペーサー層が、前記創傷接触層と前記カバー層との間に位置付けられた唯一の層である、付記項４７に記載の創傷治療装置。
［付記項４９］
前記隣り合った吸収層およびスペーサー層の下に位置付けられた一つ以上の追加的なスペーサー層をさらに含む、付記項３８〜４７のいずれか一項に記載の創傷治療装置。
［付記項５０］
前記隣り合った吸収層およびスペーサー層の上に位置付けられた一つ以上の追加的なスペーサー層をさらに含む、付記項３８〜４７および４９のいずれか一項に記載の創傷治療装置。
［付記項５１］
前記隣り合った吸収層およびスペーサー層の下に位置付けられた一つ以上の追加的な吸収層をさらに含む、付記項３８〜４７および４９〜５０のいずれか一項に記載の創傷治療装置。
［付記項５２］
前記隣り合った吸収層およびスペーサー層の上に位置付けられた一つ以上の追加的な吸収層をさらに含む、付記項３８〜４７および４９〜５１のいずれか一項に記載の創傷治療装置。
［付記項５３］
前記創傷被覆材を通して創傷部位と流体連通するように構成された陰圧源をさらに含む、付記項３８〜５２のいずれか一項に記載の創傷治療装置。
［付記項５４］
前記流体コネクタが前記吸収層上に位置付けられ、前記スペーサー層が前記流体コネクタから離れて、前記吸収層の隣に位置付けられる、付記項３８〜５３のいずれか一項に記載の創傷治療装置。
［付記項５５］
実質的に示されおよび／または説明されるような装置。
［付記項５６］
創傷を治療するための、実質的に示されおよび／または説明されるような装置を使用する方法。